(57)【要約】【課題】本発明の課題は、グレンタンクの外側壁部が横軸を支点として揺動開閉し、外側下方向きに開くようにすることで、グレンタンクの外側部を大きく開放し、グレンタンク内の清掃やメンテナンスの容易化を図ることを目的とする。【解決手段】本発明は、収穫された穀粒を一時的に貯留するグレンタンク（６）において、グレンタンクの外側壁部（１０）は、横軸（１１）を支点として揺動開閉可能に構成すると共に、外側下方向きに回動して開くように構成する。【選択図】図３
2020065504.tif 000002
【特許請求の範囲】
【請求項１】
収穫された穀粒を一時的に貯留するコンバインのグレンタンク（６）であって、前記グレンタンク（６）の外側の壁面の一部または全部を構成する外側壁部（１０）を、下部に設けた横軸（１１）を支点として外側下方へ揺動開放可能に構成してあることを特徴とするコンバインのグレンタンク。
【請求項２】
前記外側壁部（１０）の上端部から前記横軸（１１）までの距離（Ｌ１）に対し、前記横軸（１１）から地面までの距離（Ｌ２）を長く設定してある請求項１記載のコンバインのグレンタンク。
【請求項３】
前記横軸（１１）は、前記グレンタンク（６）の底部の傾斜面部（１７Ｒ）の上端部に配置してある請求項１又は請求項２記載のコンバインのグレンタンク。
【請求項４】
前記外側壁部（１０）の下部に形成された下端側傾斜面（１０ｂ）と前記グレンタンク（６）の底部の傾斜面部（１７Ｒ）とは、略同一面に形成される請求項１又は請求項２又は請求項３記載のコンバインのグレンタンク。
【発明の詳細な説明】
【技術分野】
【０００１】
この発明は、収穫された穀粒を貯留するコンバインのグレンタンクに関する。
【背景技術】
【０００２】
従来、例えば、特許文献１には、グレンタンクの外側板が上下方向の縦軸を支点として横方向に開く構成のものが開示されている。
【先行技術文献】
【特許文献】
【０００３】
【特許文献１】特開２０１８−９９０５０号公報
【発明の概要】
【発明が解決しようとする課題】
【０００４】
本発明は、グレンタンクの外側壁部が横軸を支点として揺動開閉し、外側下方向きに開くようにすることで、グレンタンクの外側部を大きく開放し、グレンタンク内の清掃やメンテナンスの容易化を図ることを目的とする。
【課題を解決するための手段】
【０００５】
この発明は、上記課題を解決すべく次のような技術的手段を講じた。
すなわち、請求項１記載の本発明は、収穫された穀粒を一時的に貯留するコンバインのグレンタンク（６）であって、前記グレンタンク（６）の外側の壁面の一部または全部を構成する外側壁部（１０）を、下部に設けた横軸（１１）を支点として外側下方へ揺動開放可能に構成してあることを特徴とする。
【０００６】
請求項２記載の本発明は、請求項１において、前記外側壁部（１０）の上端部から前記横軸（１１）までの距離（Ｌ１）に対し、前記横軸（１１）から地面までの距離（Ｌ２）を長く設定してあることを特徴とする。
【０００７】
請求項３記載の本発明は、請求項１又は請求項２において、前記横軸（１１）は、前記グレンタンク（６）の底部の傾斜面部（１７Ｒ）の上端部に配置してあることを特徴とする。
【０００８】
請求項４記載の本発明は、請求項１又は請求項２又は請求項３において、前記外側壁部（１０）の下部に形成された下端側傾斜面（１０ｂ）と前記グレンタンク（６）の底部の傾斜面部（１７Ｒ）とは、略同一面に形成されることを特徴とする。
【発明の効果】
【０００９】
請求項１記載の発明によれば、グレンタンクの外側の壁面の一部または全部を構成する外側壁部を、下部に設けた横軸を支点として外側下方へ揺動開放可能に構成してあるので、グレンタンクの外側を大きく開放することができ、縦軸を支点に回動するものに比べ、半開き状態となったり、機体の傾きによっては閉じ方向に戻ったりする虞もなく、グレンタンク内の清掃やメンテナンスを容易に行うことができる。
【００１０】
請求項２記載の発明によれば、請求項１記載の効果に加えて、外側壁部の上端部から横軸までの距離に対し、横軸から地面までの距離を長く設定してあるので、閉じた外側壁部を開いて下向きに１８０度回動させても、外側壁部の上端が地面に接触して破損を招くことがなく、宙吊り状態のままで保持でき、外側からのタンク内メンテナンス作業が容易に行える。
【００１１】
請求項３記載の発明によれば、請求項１又は請求項２記載の効果に加えて、横軸は、グレンタンクの底部の傾斜面部の上端部に配置してあるので、開いた外側壁部がグレンタンクの下方空間内に入り込むことになり、下方に開いた外側壁部が邪魔になってタンク内の作業に支障をきたすことがない。
【００１２】
請求項４記載の発明によれば、請求項１又は請求項２又は請求項３の効果に加えて、外側壁部の下部に形成された下端側傾斜面とグレンタンクの底部の傾斜面部とは、略同一面に形成されるため、外側壁部を下向きに開動したとき、両斜面が所定の隙間を保って平行状となって干渉を防止することができ、若し、外側壁部側の傾斜面がグレンタンク底部の傾斜面に接触しても面と面の接触によるため、支障をきたさない。
【図面の簡単な説明】
【００１３】
【図１】コンバインの正面図
【図２】グレンタンクの側面図
【図３】グレンタンクの正面図
【図４】グレンタンクの要部の側面図
【図５】グレンタンクの要部の正面図
【図６】脱穀装置の要部の側断面図
【図７】同上要部の平面図
【図８】図７の別実施例の平面図
【図９】引起しケースの斜視図
【図１０】エアコンコンプレッサと正逆転ギヤボックスの搭載状態を示す側面図
【図１１】同上要部の平面図
【図１２】エアコンコンプレサの取付け台の平面図
【図１３】同上正面図
【図１４】同上側面図
【発明を実施するための形態】
【００１４】
この発明の実施例を図面に基づき説明する。
【００１５】
図１は、コンバインの正面図を示し、走行クローラ２を具備する車体１の左側に脱穀部（脱穀選別装置）３が搭載され、脱穀部３の前側から右側の運転席５の前側にわたって４条刈の刈取部４が装備されている。
【００１６】
脱穀部３の右側には収穫された穀粒を貯留するグレンタンク６が装備され、グレンタンク内の穀粒が満杯になると、排出オーガ７によって機外に排出されるようになっている。
【００１７】
刈取部４と運転席５との間には、コンバインの各部を操縦する操作ボックス８が設置されている。
【００１８】
図２及び図３に示すように、グレンタンク６は、脱穀部３側とは反対側の外側壁部１０が開閉できるように横方向の横軸１１を支点として揺動開閉可能に構成されている。要するに、グレンタンク６の外側壁部を開放してタンク内の清掃やメンテナンス作業を容易にするため、その外側壁部１０が横軸１１を支点として外側下方に向けて開放するようになっている。
【００１９】
前記外側壁部１０は、グレンタンク本体より若干外側方に膨出させた形状になっており、上側傾斜面１０ａと下側傾斜面１０ｂが形成されている。
【００２０】
外側壁部１０の上端側前後には、グレンタンク側に固定したロックピン１２に係合離脱自在のフック１３が設けられ、回動レバー１４の操作で連結リンク１５を介してフックが作動し、ロック及びロック解除する構成としている。
【００２１】
そして、回動する外側壁部の上端から横軸１１支点までの距離Ｌ１より横軸１１支点から地面までの距離Ｌ２を長くし、つまり、Ｌ１＜Ｌ２の関係とすることで、外側壁部を閉じた状態から１８０度下向きに回動させても、地面に接触して破損する虞がなく、宙吊り状態に保持できて安全である。
【００２２】
外側壁部１０の横軸１１を支点とする回動支点は、グレンタンク６底部の排出螺旋１６側へ穀粒を流下させる漏斗状の左右傾斜面部１７Ｌ，１７Ｒのうち、右側の傾斜面部１７Ｒの上端に設定され、開いた外側壁部がグレンタンクの下方空間内（斜面部１７Ｒの下方空間内）に入り込むことになり、下方に開いた外側壁部が邪魔になってタンク内の作業に支障をきたすことがない。
【００２３】
なお、閉じ状態の外側壁部１０を開けて１８０度下向きに回動させ、宙吊り状態になっても、走行クローラ２や走行フレームの外側面に接触しないようにすることが望ましい。
【００２４】
膨出した外側壁部１０の下端側傾斜面１０ｂとグレンタンクの底部の傾斜面部１７Ｒとは、略同一斜面上に形成されている。従って、外側壁部を下向きに開いたとき、両傾斜面１０ｂ，１７Ｒが所定の隙間を保って平行状となって相互の干渉を防止することができ、若し、外側壁部側の傾斜面がグレンタンク底部の傾斜面に接触しても面と面の接触によるため、衝突による損傷を回避できる。
【００２５】
グレンタンク６の右側開口部４辺からプレートを突設し、その突設部に外側壁部１０を外側からラップ状態に入り込ませることで、閉じたときの籾漏れを防ぐことができる。これとは逆に、外側壁部側の４辺に嵌合片を突設して、グレンタンク側の開口部に入り込ませるようにすることでも籾もれを防ぐことができる。
【００２６】
なお、閉じ状態の外側壁部１０を開けて１８０度下向きに回動させて、宙吊り状態になっても、走行クローラ２や走行フレーム９の外側面に接触しないことが望ましい。
【００２７】
グレンタンクは、通常、縦軸を支点として揺動開閉するようになっており、通常の作業状態では脱穀部側に閉じた状態にあり、メンテナンスの場合には外方に開いて脱穀部側を開放するようになっている。
【００２８】
そして、グレンタンクには、図４及び図５に示す実施例のように、グレンタンク６には、該グレンタンクが確実に閉じていることを確認するインジケータとして、グレンタンクが確実に閉じたときに走行フレームに落ち込んでロックするピン軸１９を利用する。すなわち、ピン軸１９の手前に矢印型プレート２０を設け、ピン軸１９に取り付けたカラー２１と矢印が一致することで、グレンタンクが閉まっていることを知らせる構成としている。なお、２２はタンク開閉レバーで、手前側に引くと、ピン軸１９がスプリング２３に抗して上昇し、走行フレームのピン穴から離脱してロックが解除され、タンクが開く方向に回動するようになっている。
【００２９】
また、インジケータとして、ピン軸の手前側に小窓を設けたプレートを取り付け、ピン軸に取り付けたカラーが小窓を塞ぐことで、グレンタンクが閉まっていることを知らせる手段をとってもよい。
【００３０】
次に、脱穀装置の構成例について説明すると、図６及び図７例では、扱室２５内を回転する扱胴２６によって脱穀処理し、穀粒は受網２７から漏下させ、扱室終端側に至った排塵処理物は、中板２８と後板２９との間で処理されるが、この中板２８と後板２９との間の排塵処理部は、中板２８と仕切板３０ａとの間から排塵処理胴３１室内へ送る送塵板３２と、仕切板３０ａと仕切板３０ｂとの間から下方の選別室へ漏下させるささり回収板３３と、仕切板３０ｂと後板２９との間から下方の排塵ラック板３５へ落下させる排塵口３４からなり、そして、送塵板３２とささり回収板３３を目抜き鉄板の格子穴３６，３７で構成すると共に、ささり回収板３３の格子穴３７を送塵板３２の格子穴３６よりも大きくして、穀稈にささった穀粒を回収し易くするようにしている。
【００３１】
また、図８例のように、回収板３３の格子穴３７後面を斜めにカット（傾斜カット面３７ａ）することで、ささり回収面での扱歯の作用が受け易くなり、処理作用の流れをスムーズに行い得る。
【００３２】
グレンタンク内の穀粒の重量を測定可能なコンバインにおいて、重量（収量）測定時は車体を高く上昇させるようにしている。つまり、機体が下がった状態、又はわずかに上がっている状態では、地面の傾斜によっては、機体上昇用の油圧シリンダ等がフレームのストッパなどに支持されて歪が生じて重量測定に影響を及ぼす。そこで、上記のように一定の高さ以上に機体を上昇させることで、地面の傾斜を考慮しても車体の水平を保つ際にフレームにストッパが接触せず重量測定に影響を及ぼさない。
【００３３】
また、グレンタンク内の穀粒の重量（収量）を測定可能なコンバインにおいて、重量測定時は車体を所定高さに上昇させるが、オペレータが設定した車高ダイヤル位置に拘わらず車体をある程度上昇させる。重量測定後は、オペレータが設定した車高ダイヤル位置に車体を戻すことができる。なお、任意に設定した穀粒がグレンタンク内に溜まったら、モニタ表示及びブザー吹鳴させてオペレータに知らせる機能を設けることもできる。
【００３４】
グレンタンク内の穀粒を排出する排出オーガを装備したコンバインにおいて、車体水平制御ＯＮ時には、排出オーガは機体に対して一定の角度に起き上がったまま（排出オーガ先端の排出口側が高くなるよう傾斜）になり、ＯＦＦ時には地面に対して一定の角度になるよう制御する。これによると、車体水平制御ＯＮまたはＯＦＦに拘わらず一定の角度に保つことによってオーガ先端の排出口から籾が漏れることを防止することができる。
【００３５】
また、グレンタンクにおいて、底部の漏斗状傾斜面に加振装置を設けて、貯留時に振動を付与することで、籾と籾同士の隙間が密になることで、多くの籾を充填することができるようになる。
【００３６】
なお、上記振動を任意に入り切りできるようにすると、濡れ籾や麦など、元々充填率が高く、排出螺旋の起動トルクが高いときには、振動を切ることで、排出(搬送)詰りを防止できる。
【００３７】
図９例は、コンバインの引起し装置において、前側引起しケース３９の上部に横軸芯方向の蝶番４０を支点として揺動開閉可能な注油カバー４１を設けることで、引起しチェーンへの注油が簡単に行えるようになった。また、この注油カバーは縦方向の軸芯周りに横開きする構成をとってもよい。
【００３８】
図１０及び図１１例で示すように、正逆転ギヤボックス４３にて、エアコンコンプレッサ４４を駆動する構成のもので、エアコンプレッサ４４を取付け台４５上に載せ、前側をキャビンフレームに取付けた取付部材４６上に載せ、後側を正逆転ギヤボックス４３を載せている取付ステー４７上に載せているものにおいて、正逆転ギヤボックス４３に取り付けられている駆動プーリ４８の回転径を変更することで、エアコンコンプレッサの回転数を変更することができる。要するに、従来は、組付けのバラツキやエアコンコンプレッサの単品のバラツキなどによって、エアコンコンプレッサがＯＮになった時に共振音が発生することがあった。６条刈コンバインの場合は、定格２５００ｒｐｍ、５条刈コンバインは、２２００ｒｐｍとエンジン回転数が異なり、それに比例して正逆転ギヤボックスの駆動回転数も違うため、６条刈コンバインのエアコンコンプレッサの回転数が速く、共振音も大きくなっていた。そこで、正逆転ギヤボックスの駆動プーリの回転径を小さくすることで、エアコンコンプレッサの回転数を変更することができ、５条刈コンバインと同じ回転数に合わせることで、共振を低減することができる。
【００３９】
台枠４９は、取付ステー４７を介して正逆転ギヤボックス４３を載せて取付けるようになっている。
【００４０】
図１２例に示すように、エアコンコンプレッサ４４の取付け台４５の後方側は丸穴５０とし、前方側は調整可能な長穴５１としている。正逆転ギヤボックスの取付け台側と、キャビンフレーム側の取付部材に組付け上のバラツキが発生するが、前側の長穴で吸収することができ、また、後方側を丸穴とすることで、正逆転ギヤボックスとエアコンコンプレッサとの軸間に狂いを生じることを防止できる。
【００４１】
エアコンコンプレッサの前側を固定する取付ブラケット５２には、コンプレッサの下方部は２本のボルト（ボルト穴Ｖ１，Ｖ２）で固定し、上方部１本のボルト（ボルト穴Ｖ３）で固定するようになっている。エアコンコンプレッサ本体はアルミでできているため、エアコンコンプレッサを下方２本と上方２本の４本のボルトで固定すると、アルミの本体に応力がかかり破損する可能性がある。上記のように下方２本と上方１本の３本のボルトで固定すると、本体の破損を防止することができる。
【００４２】
なお、取付け台４５と前側の取付部材４６と、取付け台４５と後側の取付ステー４７との間にゴム板を挟み込むことで、エアコンコンプレッサの共振を吸収でき、また、共振音も低減することができる。
【符号の説明】
【００４３】
６    グレンタンク
１０    外側壁部
１０ｂ  下端側傾斜面
１１    横軸
１７Ｒ  底部の傾斜面部
【図１】
2020065504.tif 000003
【図２】
2020065504.tif 000004
【図３】
2020065504.tif 000005
【図４】
2020065504.tif 000006
【図５】
2020065504.tif 000007
【図６】
2020065504.tif 000008
【図７】
2020065504.tif 000009
【図８】
2020065504.tif 000010
【図９】
2020065504.tif 000011
【図１０】
2020065504.tif 000012
【図１１】
2020065504.tif 000013
【図１２】
2020065504.tif 000014
【図１３】
2020065504.tif 000015
【図１４】
2020065504.tif 000016